(57)【要約】【課題】ハイト調整を行うときに、リテーナカラーの固定、解除を行うロック装置の組込み、操作が容易である上型装置を提供する。【解決手段】下端部にパンチ刃部４１を備えたパンチボディ４３を、パンチガイド５内に上下動自在に設けると共に、パンチガイド５の上部に回転可能に備えたリテーナカラー７と一体的に回転可能かつリテーナカラー７に対して上下動自在のパンチドライバ９に、パンチボディ４３の上部を上下動可能に螺合してなる上型装置において、リテーナカラー７に形成した係合凹部８３と係合離脱自在の係合凸部８５を備えたロックピース８７を操作して前記係合凹部８３と係合凸部８５との係合離脱の操作を行うための操作部材８９をパンチガイド５の上部に設け、ロックピース８７と操作部材８９は、当該操作部材８９の操作方向と異なる方向へロックピース８７が動作するように動作方向を変換する動作方向変換機構を介して互に連動連結してある。【選択図】図１
2005246393.tif 000002
【特許請求の範囲】
【請求項１】
下端部にパンチ刃部を備えたパンチボディを、円筒形状のパンチガイド内に上下動自在に設けると共に、前記パンチガイドの上部に回転可能に備えたリテーナカラーと一体的に回転可能かつ前記リテーナカラーに対して上下動自在のパンチドライバに、前記パンチボディの上部を上下動可能に螺合してなる上型装置において、前記リテーナカラーに形成した係合凹部と係合離脱自在の係合凸部を備えたロックピースを、前記パンチガイドの上部に設けると共に、前記ロックピースを操作して前記係合凹部と係合凸部との係合離脱の操作を行うための操作部材を前記パンチガイドの上部に設け、かつ前記係合凹部に係合凸部を係合するように前記ロックピースを付勢して設けたことを特徴とする上型装置。
【請求項２】
請求項１に記載の上型装置において、前記ロックピースと前記操作部材は、当該操作部材の操作方向と異なる方向へ前記ロックピースが動作するように動作方向を変換する動作方向変換機構を介して互に連動連結してあることを特徴とする上型装置。
【請求項３】
請求項２に記載の上型装置において、前記動作方向変換機構は、前記ロックピース及び前記操作部材に互いに反対方向に傾斜して形成した傾斜案内部と、前記両傾斜案内部に係合して前記両傾斜案内部に対して交差する方向へ移動可能のピン部材とよりなることを特徴とする上型装置。
【請求項４】
請求項１，２又は３に記載の上型装置において、前記ロックピースと前記操作部材は予め組合わせてユニット化してあることを特徴とする上型装置。
【発明の詳細な説明】
【技術分野】
【０００１】
本発明は、例えばタレットパンチプレス等のごときパンチプレスに装着して使用される上型装置に係り、さらに詳細には、パンチ刃部の再研磨後のハイト調整が容易な上型装置に関する。
【背景技術】
【０００２】
パンチプレスに使用される上型装置には、パンチボディの下端部に備えたパンチ刃部が摩耗すると、再研磨して使用される。この場合、パンチボディは再研磨分だけ短くなっているので、ハイト調整を行う必要がある（例えば特許文献１）。
【特許文献１】特開２００２−２０５１３０号公報
【発明の開示】
【発明が解決しようとする課題】
【０００３】
前記特許文献１に記載の上型装置１は、図６に示すように、例えばタレットパンチプレスなどのごときパンチプレスにおける上型ホルダ３（タレットパンチプレスにおいては上部タレットが相当する）に上下動自在に支持される円筒形状のパンチガイド５を備えている。このパンチガイド５は、当該パンチガイド５の上部に備えたフランジ部５Ｆと前記上型ホルダ３との間に介在したリフタースプリング（図示省略）を介して前記上型ホルダ３に上下動自在に支持されている。
【０００４】
前記パンチガイド５の上面にはリテーナカラー７が回動固定自在に設けてあり、このリテーナカラー７を上下動のみ自在に貫通したパンチドライバ９の上端部に取付けたパンチヘッド１１と前記リテーナカラー７との間には、前記パンチドライバ９を上方向へ付勢するためのストリップ用弾性手段１３が設けてある。
【０００５】
前記パンチドライバ９は前記リテーナカラー７を下方向から上下動自在に貫通しており、このパンチドライバ９の下端部には、リテーナカラー７の下面に当接自在の大径部１５が設けてある。そして、この大径部１５の下部には、前記パンチガイド５の上部内周面に内方向へ突出して備えた環状突出部１７を前記リテーナカラー７との間に緩く挾持した下部フランジ１９が形成してある。
【０００６】
前記リテーナカラー７と前記パンチドライバ９とは一体的に回転するが前記パンチドライバ９のみが上下動するように、パンチドライバ９の外周面に形成した上下方向のキー溝２１に、前記リテーナカラー７に設けたキー２３が係合してある。そして、複数のボルト２５を介して前記パンチドライバ９の上端部に取付けた前記パンチヘッド１１と前記リテーナカラー７との間には、前記ストリップ用弾性手段１３の一例として強力な皿バネ，コイルバネ，ウレタンゴム等のごとき弾性部材２７が弾装してあり、パンチドライバ９は常に上方向へ付勢してある。
【０００７】
前記パンチガイド５に対して前記リテーナカラー７を回動固定自在に支持するために、前記リテーナカラー７の下面には周溝２９が形成してあり、この周溝２９の外側には、円周方向に複数の係合凹部３１が適宜間隔に設けてある。そして、前記パンチガイド５におけるフランジ部５Ｆの上面には径方向（放射方向）のガイド溝３３が形成してあり、このガイド溝３３内に摺動自在に係合したスライド部材３５には、上端部が前記周溝２９の位置及び前記係合凹部３１に係合した位置へ移動自在のストッパピン３７が取付けてある。そして、前記スライド部材３５は、前記ガイド溝３３内に装着したコイルスプリング等のごとき弾性部材３９によって、前記係合凹部３１へ前記ストッパピン３７を係合した状態に常に保持すべく付勢されている。
【０００８】
上記構成において、弾性部材３９の付勢力に抗してスライド部材３５を移動して、ストッパピン３７を係合凹部３１に係合した位置から周溝２９に係合した位置へ移動すると、リテーナカラー７はパンチガイド５に対して回動可能になる。
【０００９】
したがって、パンチガイド５に対してリテーナカラー７を回動すると、キー２３を介してパンチドライバ９も一体に回動されることになる。
【００１０】
その後、弾性部材３９の付勢力に抗したスライド部材３５の移動を解除すると、前記弾性部材３９の付勢力によって前記ストッパピン３７が別個の係合凹部３１に係合して、リテーナカラー７は回動不能の状態に固定される。
【００１１】
前記パンチガイド５内には、パンチ刃部４１を下端部に備えたパンチボディ４３が上下動自在に嵌入されている。このパンチボディ４３は上部パンチボディ４３Ｕと下部パンチボディ４３Ｌとに分割してあり、上下のパンチボディ４３Ｕ，４３Ｌは連結具４５によって一体的に連結してある。
【００１２】
前記上部パンチボディ４３Ｕの上面中央部には上方向へ突出した上方突出部５１が設けてあり、この上方突出部５１の外周面には、前記パンチドライバ９の内周面に形成した雌ネジ部４７に上下位置調節自在に螺合した雄ネジ部４９が形成してある。
【００１３】
そして、前記パンチドライバ９の下面と対向した上部パンチボディ４３Ｕの上面には、上記下面と上面との密着を防止するためのウレタンゴム等のごとき弾性部材５３が上方向に突出して設けてある。なお、上記弾性部材５３を設ける位置は相対的なものであり、前記パンチドライバ９の下面に下方向へ突出して設けても良いものである。
【００１４】
さらに前記上部パンチボディ４３Ｕの下面には、前記パンチガイド５に設けたキー溝５５に上下動自在に係合したキー５７が複数のボルト５９によって一体的に取付けてある。このキー５７の外面には前記パンチガイド５に対する相対的な上下位置を示す水平な線の刻印等のごとき目印６１が設けてあり、この目印６１に対応して前記キー溝５５の外側には、前記パンチ刃部４１の調整範囲を示す調整目印６３が設けてある。
【００１５】
前記上部パンチボディ４３Ｕと下部パンチボディ４３Ｌとの方向性を一致するために、前記下部パンチボディ４３Ｌの上面には前記キー５７と係合するキー溝６５が形成してある。そして、前記パンチ刃部４１を下端部に備えた前記下部パンチボディ４３は、前記上部パンチボディ４３Ｕの前記上方突出部５１を上方向から貫通した前記連結具４５によって前記上部パンチボディ４３Ｕの下部に着脱可能に取付けてある。
【００１６】
前記連結具４５は軸心部に上下に貫通した流体通路６７を備えたボルトよりなるものであり、このボルトを螺合した下部パンチボディ４３Ｌには前記流体通路６７を経て供給されたオイルミスト等のごとき適宜流体を下部パンチボディ４３Ｌの外周面へ導くための導孔６９が設けてある。
【００１７】
したがって、パンチプレス（図示省略）に上下動自在に備えたストライカＳＴから前記パンチヘッド１１の貫通孔１１Ｈ，パンチドライバ９の貫通孔９Ｈを経て供給された流体は連結具４５の流体通路６７及び前記導孔６９を経て下部パンチボディ４３Ｌの外周面とパンチガイド５の内周面との間に導かれて潤滑を行うと共に前記パンチ刃部４１を下端部に備えた下部パンチボディ４３Ｌの小径部４３Ｓと前記パンチガイド５の下部内周面との間の環状の圧縮室７１に導入されることになる。
【００１８】
前記パンチガイド５の下端部には、前記パンチ刃部４１を囲繞した円板状のストリッパプレート７３が着脱可能に取付けてある。このストリッパプレート７３は前記パンチ刃部４１が嵌合した貫通孔を中央部に備えた構成であって、外周面には周溝のごとき係合溝７５が形成してある。このストリッパプレート７３をパンチガイド５の下端部に対して着脱可能に支持するために、パンチガイド５の下端外周面の複数箇所には、前記係合溝７５に係合自在の係止部７７を下端部に備えた揺動ロック片７９が揺動自在に支持されている。
【００１９】
以上のごとき構成において、通常の上型装置と同様に前記上型装置１をパンチプレスにおける上型ホルダ３に上下動自在に装着し、パンチプレスに上下動自在に備えたストライカＳＴによってパンチヘッド１１を打圧し下降すると、リフタスプリング（図示省略）に抗して上型装置１全体が上型ホルダ３に対して下降され、下部に備えたストリッパプレート７３が打抜き加工すべき板状のワーク（図示省略）に当接し、このワークを下型であるダイ（図示省略）に押圧固定する。
【００２０】
その後、前記ストライカＳＴをさらに下降すると、ストリップ用弾性手段１３の付勢力に抗してパンチヘッド１１，パンチドライバ９及び上下のパンチボディ４３Ｕ，４３Ｌがパンチガイド５に対して一体的に下降され、前記ダイと協働の下にパンチ刃部４１でもってワークに打抜き加工を行うことになる。
【００２１】
上述のごとくストライカＳＴによってパンチヘッド１１を打圧し降下するとき、上記ストライカＳＴに備えた流体供給口（図示省略）からパンチヘッド１１の貫通孔１１Ｈにオイルミストのごとき流体を噴出供給すると、上記圧力流体は連結具４５の流体通路６７，下部パンチボディ４３Ｌの導孔６９を経て下部パンチボディ４３Ｌの外周面とパンチガイド５の内周面との間に達して潤滑を行うと共に環状の圧縮室７１に流入する。
【００２２】
そして、パンチガイド５に対してパンチボディ４３が下降すると、前記圧縮室７１内の流体は圧縮され、パンチ刃部４１によってワークが打抜かれると同時に、パンチ刃部４１の周囲とストリッパプレート７３の貫通孔の内周面との間の微小間隙から下方向へ噴出され、ダイ内のブランク又はスクラップを下方向へ噴出するように排出することになる。
【００２３】
前記パンチ刃部４１が摩耗し再研磨が必要な場合には、前記上型装置１を前記上型ホルダ３から取り外した状態において、ストリッパプレート７３を取り外すと共に下部パンチボディ４３Ｌを取り外して前記パンチ刃部４１の再研磨を行うものである。
【００２４】
パンチガイド５からストリッパプレート７３を取り外した後、パンチヘッド１１及びパンチドライバ９の貫通孔１１Ｈ，９Ｈに適宜工具を挿入して連結具４５を回動し弛めることにより、上部パンチボディ４３Ｕから下部パンチボディ４３Ｌを下方向へ取り外すことができる。このように下部パンチボディ４３Ｌを取り外し、パンチ刃部４１の再研磨を行った後、パンチガイド５に下方から挿入して上部パンチボディ４３Ｕの下面に下部パンチボディ４３Ｌの上面を当接し、かつ前記連結具４５を締付けることにより、上下のパンチボディ４３Ｕ，４３Ｌを一体的に固定することができる。
【００２５】
その後、弾性部材３９に抗してスライド部材３５を移動し、ストッパピン３７をリテーナカラー７の周溝２９の位置に位置せしめた状態においてパンチヘッド１１を介してパンチドライバ９を回動すると、このパンチドライバ９の雌ネジ部４７に螺合した上部パンチボディ４３Ｕの雄ネジ部４９が相対的に回動することとなり、上下のパンチボディ４３Ｕ，４３Ｌがパンチドライバ９に対して相対的に上下動されることになり、ハイト調整が行われる。すなわち前記パンチ刃部４１の再研磨量に相当する分だけパンチボディ４３が下降調節されることになる。
【００２６】
ここで、キー５７の目印６１とキー溝５５の外側に設けた調整目印６３との位置的関係を見ることにより、パンチ刃部４１の再研磨量の総量を知ることができ、前記パンチ刃部４１に再研磨の余裕があるか否か、すなわち下部パンチボディ４３Ｌが交換すべき寿命に近いか否かを知ることができるものである。
【００２７】
前述のごとく下部パンチボディ４３Ｌを上部パンチボディ４３Ｕの下部に一体的に取付けた後、ストリッパプレート７３をパンチガイド５の下端部に取付けストリッパプレート７３を固定する。
【００２８】
すなわち、従来の構成においては、ハイト調整を容易に行うことができるものの、リテーナカラー７の下面に周溝２９を形成することにより、この部分が薄肉になり、強度が低下することがあると共に、パンチガイド５におけるフランジ部５Ｆに形成したガイド溝３３に対するコイルスプリング３９、スライド部材３５の組付けが厄介であるなど、さらなる改善が求められる。
【課題を解決するための手段】
【００２９】
本発明は、前述のごとき問題に鑑みてなされたもので、下端部にパンチ刃部を備えたパンチボディを、円筒形状のパンチガイド内に上下動自在に設けると共に、前記パンチガイドの上部に回転可能に備えたリテーナカラーと一体的に回転可能かつ前記リテーナカラーに対して上下動自在のパンチドライバに、前記パンチボディの上部を上下動可能に螺合してなる上型装置において、前記リテーナカラーに形成した係合凹部と係合離脱自在の係合凸部を備えたロックピースを、前記パンチガイドの上部に設けると共に、前記ロックピースを操作して前記係合凹部と係合凸部との係合離脱の操作を行うための操作部材を前記パンチガイドの上部に設け、かつ前記係合凹部に係合凸部を係合するように前記ロックピースを付勢して設けたことを特徴とするものである。
【００３０】
また、本発明は、前記上型装置において、前記ロックピースと前記操作部材は、当該操作部材の操作方向と異なる方向へ前記ロックピースが動作するように動作方向を変換する動作方向変換機構を介して互に連動連結してあることを特徴とするものである。
【００３１】
また、本発明は、上記上型装置において、前記動作方向変換機構は、前記ロックピース及び前記操作部材に互いに反対方向に傾斜して形成した傾斜案内部と、前記両傾斜案内部に係合して前記両傾斜案内部に対して交差する方向へ移動可能のピン部材とよりなることを特徴とするものである。
【００３２】
また、本発明は、上記上型装置において、前記ロックピースと前記操作部材は予め組合わせてユニット化してあることを特徴とするものである。
【発明の効果】
【００３３】
本発明によれば、操作部材を内方向へ操作することにより、リテーナカラーに形成した係合凹部からロックピースの係合凸部を離脱することができ、リテーナカラーの固定及びその解除を容易に行うことができる。この際、操作部材の操作方向とロックピースの動作方向とを異なる方向とすることができ、前記係合凹部をリテーナカラーの所望位置に形成できるものである。
【００３４】
したがって、前述した従来の上型装置における周溝を省略することができ、強度向上を図ることができるものである。また、前記ロックピースと操作部材とを予めユニット化してからパンチガイドに組み込むことができるものであり、組付けを容易に行うことができるものである。
【発明を実施するための最良の形態】
【００３５】
以下、図面を用いて本発明の実施形態について説明するに、上型装置の全体的構成は前述した従来の上型装置とほぼ同一の構成であるから、同一機構を奏する構成要素には同一符号を付することとして重複した説明は省略する。
【００３６】
図１を参照するに、本実施形態においては、上部パンチボディ４３Ｕにおける上方突出部５１に対してパンチドライバ９、リテーナカラー７を回動不能にロック自在かつ上記ロックを解除自在なロック装置８１が設けられている。
【００３７】
すなわち、パンチガイド５におけるフランジ部５Ｆの上面に形成した径方向のガイド溝３３内には、前記リテーナカラー７の周面に形成した係合凹部８３と係合離脱自在の係合凸部８５を備えたロックピース８７が径方向へ移動自在に備えられている。また、前記ガイド溝３３内には、前記ロックピース８７を操作して前記係合凹部８３と係合凸部８５との係合離脱の操作を行うための操作部材８９が径方向へ移動自在に設けられている。
【００３８】
前記ロックピース８７と前記操作部材８９は、操作部材８９の操作方向に対して異なる方向へ前記ロックピース８７が動作するように構成してある。すなわち、本件においては、操作部材８９を内方向へ移動すると、ロックピース８７は外方向へ動作するように構成してあり、前記ロックピース８７と操作部材８９は、動作方向を変換する動作方向変換機構を介して互に連動するように連動連結してある。
【００３９】
より詳細には、前記ロックピース８７は、図３に示すように、直方体のロックピース本体８７Ａの先端部に前記係合凸部８５を備えた構成であって、上記ロックピース本体８７Ａには、傾斜案内部８７Ｂが設けられている。上記傾斜案内部８７Ｂは、前記係合凸部８５の突出方向に対して直交する方向にロックピース本体８７Ａを水平方向に貫通した長孔よりなるものであって、長孔は前記ロックピース本体８７Ａの先端部側が高くなるように傾斜してある。
【００４０】
前記操作部材８９には、図３に示すように、前記ロックピース８７が摺動自在に係合する係合溝８９Ａが形成してあり、この係合溝８９Ａの両側のガイド壁部８９Ｂには、傾斜案内部８９Ｃが形成してある。上記傾斜案内部８９Ｃは、前記両ガイド壁部８９Ｂを水平方向に貫通した長孔よりなるものであって、長孔は前述したロックピース８７の傾斜案内部８７Ｂとは反対の方向、すなわち先端側から低くなるように傾斜してある。
【００４１】
前記ロックピース８７と操作部材８９とを組み合わせてユニット化するには、前記操作部材８９の係合溝８９Ａ内にコイルスプリング等のごとき弾性部材９１を配置する。その後に、前記係合溝８９Ａ内に前記ロックピース８７を係合し、前記弾性部材９１を圧縮した状態において、前記操作部材８９に形成した傾斜案内部８９Ｃからロックピース８７に形成した傾斜案内部８７Ｂにピン部材９３を貫通する（図４、図５を参照）。
【００４２】
上述のように、ロックピース８７と操作部材８９とを組み合わせてユニット化した後、前記操作部材８９を、パンチガイド５のフランジ部５Ｆに形成したガイド溝３３に係合すると共に、上記操作部材８９から両側に突出した前記ピン部材９３の両端部を、前記ガイド溝３３の両側に形成した上下方向のピンガイド溝９５（図２参照）内に上下動可能に係合することにより、図１、図２に示すように、上型装置に組み込まれるものである。
【００４３】
既に理解されるように、ロックピース８７と操作部材８９とを予め組み合わせてユニット化した後に前記ガイド溝３３に組み込まれるものであるから、その組み込みを容易に行い得るものである。
【００４４】
前記構成において、図１において操作部材８９を、弾性部材９１の付勢力に抗して左方向（内方向）へ押圧移動すると、ピン部材９３は、操作部材８９に形成した傾斜案内部８９Ｃに押圧され、ピンガイド溝９５に沿って次第に上昇される。前記ピン部材９３がピンガイド溝９５に沿って次第に上昇すると、ロックピース８７の傾斜案内部８７Ｂに対しては定位置（ピンガイド溝９５の位置）において上昇することになるので、前記ロックピース８７は、前記弾性部材９１の付勢力に抗して、図１において右方向に移動する。
【００４５】
したがって、前記ロックピース８７に備えた係合凸部８５は、リテーナカラー７に形成した係合凹部８３から離脱することとなり、リテーナカラー７及びパンチドライバ９を、パンチボディ４３に対して回転することができることになる。よって、前記パンチドライバ９に対してパンチボディ４３を上下に調整することができ、パンチ刃部４１を再研磨した後のハイト調整を行うことができるものである。
【００４６】
その後、前記操作部材８９の押圧を解除すると、前記弾性部材９１の蓄勢力により、前記ロックピース８７は内方向へ、また前記操作部材８９は外方向へ移動される。そして、前記ロックピース８７の係合凸部８５は、リテーナカラー７に形成した別個の係合凹部８３に係合して、リテーナカラー７を回転不能状態に固定するものである。
【００４７】
ところで、前記説明においては、操作部材８９を内方向へ操作すると、ロックピース８７は反対方向である外方向へ動作する旨の説明をしたが、前記リテーナカラー７に形成した係合凹部８３に対して、ロックピース８７に備えた係合凸部８５を係合離脱する方向へ前記ロックピース８７を動作すれば良いものであるから、前記係合凹部８３がリテーナカラー７の下面に形成されている場合には、ロックピース８７に備えた係合凹部８５が上下方向に動作するようにすることもできる。
【００４８】
この場合、前記操作部材８９とロックピース８７との接合部をカムにより構成し、操作部材８９の移動操作によってロックピース８７が上下動作する構成とすることができるものである。
【００４９】
既に理解されるように、操作部材８９の操作方向とロックピース８７の動作方向とを異にして、リテーナカラー７に形成した係合凹部８３に対して前記ロックピース８７に備えた係合凸部８５を係合離脱する構成としては、カム機構やリンク機構を採用することによって種々の構成とすることができるものである。
【図面の簡単な説明】
【００５０】
【図１】本発明の実施形態に係る上型装置における主要部分を示す断面説明図である。
【図２】同上の平面説明図である。
【図３】ロック装置の分解斜視説明図である。
【図４】同上の分解説明図である。
【図５】ロック装置の組立状態の説明図である。
【図６】従来の上型装置の断面説明図である。
【符号の説明】
【００５１】
１…上型装置
５…パンチガイド
７…リテーナカラー
９…パンチドライバ
１１…パンチヘッド
４１…パンチ刃部
４３…パンチボディ
４７…雌ネジ部
４９…雄ネジ部
５１…上方突出部
８１…ロック装置
８３…係合凹部
８５…係合凸部
８７…ロックピース
８７Ｂ…傾斜案内部
８９…操作部材
８９Ｃ…傾斜案内部
９１…弾性部材
９３…ピン部材
９５…ピンガイド溝
【図１】
2005246393.tif 000003
【図２】
2005246393.tif 000004
【図３】
2005246393.tif 000005
【図４】
2005246393.tif 000006
【図５】
2005246393.tif 000007
【図６】
2005246393.tif 000008